(57)【要約】【課題】発信者が外線電話機等によって用件メッセージを受信者側に対して簡易且つ確実に知らせることができる、留守番機能を有する電話機を提供する。【解決手段】ユーザーが操作部４を操作するのにしたがって、電話機Ａに設けられている記憶部６が、外線電話機の発呼電話番号と用件メッセージのデータを記憶登録する。外線電話機等から電話がかかってくると、電話機Ａに設けられている主制御部３が、かかってきた外線電話機等の発呼電話番号と一致する発呼電話番号のデータが記憶部６に記録されているか否か調べ、一致する発呼電話番号のデータが存在すると、記憶部６に記憶登録されている用件メッセージデータに基づいて、表示部５に用件メッセージを表示させる。これにより、発信者であるユーザーは、受信者側の電話機Ａに電話をかけるだけで、記憶部６に登録しておいた用件メッセージを、簡易且つ確実に知らせることができる。【選択図】図１
2009164781.tif 000002
【特許請求の範囲】
【請求項１】
外線電話機等からの電話に応じて用件メッセージを表示する電話機であって、
ユーザー操作にしたがって、前記外線電話機の発呼電話番号と用件メッセージのデータを記憶登録する記憶手段と、
外線電話機等から電話がかかってくると、かかってきた前記外線電話機等の発呼電話番号と一致する発呼電話番号のデータが前記記憶手段に記録されているか否か調べ、一致する発呼電話番号のデータが前記記憶手段に存在すると、前記記憶手段に記憶登録されている前記用件メッセージのデータに基づいて表示手段に用件メッセージを表示させる主制御手段と、
を有することを特徴とする電話機。
【請求項２】
外線電話機等からの電話に応じて用件メッセージを表示する電話機であって、
ユーザー操作にしたがって用件メッセージのデータを記憶登録する記憶領域と、電話帳データを記憶する記憶する記憶領域を有する記憶手段と、
外線電話機等から電話がかかってくると、かかってきた前記外線電話機等の発呼電話番号と一致する発呼電話番号のデータが前記電話帳データに存在するか否か調べ、一致する発呼電話番号のデータが前記電話帳データに存在すると、前記記憶手段に記憶登録されている前記用件メッセージのデータに基づいて表示手段に用件メッセージを表示させる主制御手段と、
を有することを特徴とする電話機。
【請求項３】
前記記憶手段は、ユーザー操作にしたがって前記用件メッセージと時刻のデータを記憶登録し、
前記主制御手段は、前記表示手段に前記用件メッセージを表示させる際、前記用件メッセージと共に、前記記憶手段に記憶されている時刻のデータに基づいて時刻を表示させること、
を特徴とする請求項１または２に記載の電話機。
【請求項４】
前記記憶手段は、ユーザー操作にしたがって前記用件メッセージと時間帯のデータを記憶登録し、
前記主制御手段は、外線電話機等から電話がかかってくると、かかってきた前記外線電話機等の発呼電話番号と一致する発呼電話番号のデータが存在するか否か調べと共に、前記記憶手段に記憶されている時間帯のデータで示される時間帯に電話がかかってきたか否か調べ、一致する発呼電話番号のデータが存在し、時間帯のデータで示される時間帯に電話がかかってくると、前記記憶手段に記憶登録されている前記用件メッセージのデータに基づいて表示手段に用件メッセージを表示させること、
を特徴とする請求項１または２に記載の電話機。
【請求項５】
親機と子機とを有し、外線電話機等からの電話に応じて前記親機または子機に用件メッセージを表示する電話機であって、
ユーザーの前記親機の操作にしたがって、前記外線電話機の発呼電話番号と用件メッセージと前記親機または子機の装置番号のデータを記憶登録する前記親機に設けられた記憶手段と、
外線電話機等から前記親機に電話がかかってくると、かかってきた前記外線電話機等の発呼電話番号と一致する発呼電話番号のデータが前記記憶手段に記録されているか否か調べ、一致する発呼電話番号のデータが前記記憶手段に存在すると、前記記憶手段に記憶登録されている前記親機または子機の装置番号のデータで示される親機または子機に設けられている表示手段に、前記用件メッセージのデータに基づいて用件メッセージを表示させる、前記親機に設けられている主制御手段と、
を有することを特徴とする電話機。
【請求項６】
親機と子機とを有し、外線電話機等からの電話に応じて前記親機または子機に用件メッセージを表示する電話機であって、
ユーザーの前記親機の操作にしたがって、前記外線電話機の発呼電話番号と用件メッセージと前記親機または子機の装置番号のデータを記憶する記憶領域と、電話帳データを記憶する記憶する記憶領域を有する、前記親機に設けられた記憶手段と、
外線電話機等から前記親機に電話がかかってくると、かかってきた前記外線電話機等の発呼電話番号と一致する発呼電話番号のデータが前記親機の記憶手段に記録されているか否か調べ、一致する発呼電話番号のデータが前記記憶手段に存在すると、前記親機の記憶手段に記憶登録されている前記親機または子機の装置番号のデータで示される親機または子機に設けられている表示手段に、前記用件メッセージのデータに基づいて用件メッセージを表示させる、前記親機に設けられている主制御手段と、
を有することを特徴とする電話機。
【請求項７】
前記記憶手段は、ユーザー操作にしたがって前記用件メッセージと時刻のデータを記憶登録し、
前記主制御手段は、前記親機または子機の表示手段に前記用件メッセージを表示させる際、前記用件メッセージと共に、前記記憶手段に記憶されている時刻のデータに基づいて時刻を表示させること、
を特徴とする請求項５または６に記載の電話機。
【請求項８】
前記記憶手段は、ユーザー操作にしたがって前記用件メッセージと時間帯のデータを記憶登録し、
前記主制御手段は、外線電話機等から電話がかかってくると、かかってきた前記外線電話機等の発呼電話番号と一致する発呼電話番号のデータが存在するか否か調べと共に、前記記憶手段に記憶されている時間帯のデータで示される時間帯に電話がかかってきたか否か調べ、一致する発呼電話番号のデータが存在し、時間帯のデータで示される時間帯に電話がかかってくると、前記記憶手段に記憶登録されている前記親機または子機の装置番号のデータで示される親機または子機に設けられている表示手段に、前記用件メッセージのデータに基づいて用件メッセージを表示させること、
を特徴とする請求項５または６に記載の電話機。
【請求項９】
親機と子機とを有し、外線電話機等からの電話に応じて前記親機または子機に用件メッセージを表示する電話機であって、
ユーザーの前記子機の操作にしたがって、前記外線電話機の発呼電話番号と用件メッセージと前記親機または子機の装置番号のデータを記憶登録する、前記親機と子機に設けられた記憶手段と、
外線電話機等から前記親機に電話がかかってくると、かかってきた前記外線電話機等の発呼電話番号と一致する発呼電話番号のデータが前記親機の記憶手段に記録されているか否か調べ、一致する発呼電話番号のデータが前記親機の記憶手段に存在すると、前記親機の装置番号のデータで示される親機に設けられている表示手段に、前記親機の記憶手段に記憶されている前記用件メッセージのデータに基づいて用件メッセージを表示させる、前記親機に設けられている主制御手段と、
前記一致する発呼電話番号のデータが前記親機の記憶手段に存在すると、前記子機の装置番号のデータで示される子機に設けられている表示手段に、前記子機の記憶手段に記憶されている前記用件メッセージのデータに基づいて用件メッセージを表示させる、前記子機に設けられている主制御手段と、を有することを特徴とする電話機。
【請求項１０】
親機と子機とを有し、外線電話機等からの電話に応じて前記親機または子機に用件メッセージを表示する電話機であって、
ユーザーの前記子機の操作にしたがって、前記外線電話機の発呼電話番号と用件メッセージと前記親機または子機の装置番号のデータを記憶登録する記憶領域と、電話帳データを記憶する記憶領域とを有する、前記親機に設けられた記憶手段と、
ユーザーの前記子機の操作にしたがって、前記外線電話機の発呼電話番号と用件メッセージと前記親機または子機の装置番号のデータを記憶登録する、前記子機に設けられた記憶手段と、
外線電話機等から前記親機に電話がかかってくると、かかってきた前記外線電話機等の発呼電話番号と一致する発呼電話番号のデータが前記電話帳データに存在しているか否か調べ、一致する発呼電話番号のデータが前記電話帳データに存在していると、前記親機の装置番号のデータで示される親機に設けられている表示手段に、前記親機の記憶手段に記憶されている前記用件メッセージのデータに基づいて用件メッセージを表示させる、前記親機に設けられている主制御手段と、
前記一致する発呼電話番号のデータが前記電話帳データに存在していると、前記子機の装置番号のデータで示される子機に設けられている表示手段に、前記子機の記憶手段に記憶されている前記用件メッセージのデータに基づいて用件メッセージを表示させる、前記子機に設けられている主制御手段と、
を有することを特徴とする電話機。
【請求項１１】
前記親機と子機の記憶手段は、ユーザー操作にしたがって前記用件メッセージと時刻のデータを記憶登録し、
前記親機の主制御手段は、前記親機の表示手段に前記用件メッセージを表示させる際、前記用件メッセージと共に、前記親機の記憶手段に記憶されている時刻のデータに基づいて時刻を表示させ、
前記子機の主制御手段は、前記子機の表示手段に前記用件メッセージを表示させる際、前記用件メッセージと共に、前記子機の記憶手段に記憶されている時刻のデータに基づいて時刻を表示させること、
を特徴とする請求項９または１０に記載の電話機。
【請求項１２】
前記親機と子機の記憶手段は、ユーザー操作にしたがって前記用件メッセージと時間帯のデータを記憶登録し、
前記親機の主制御手段は、外線電話機等から電話がかかってくると、かかってきた前記外線電話機等の発呼電話番号と一致する発呼電話番号のデータが存在するか否か調べと共に、前記親機の記憶手段に記憶されている時間帯のデータで示される時間帯に電話がかかってきたか否か調べ、一致する発呼電話番号のデータが存在し、時間帯のデータで示される時間帯に電話がかかってくると、前記親機の記憶手段に記憶登録されている前記用件メッセージのデータに基づいて表示手段に用件メッセージを表示させ、
前記子機の主制御手段は、前記子機の装置番号のデータで示される子機に設けられている表示手段に、前記子機の記憶手段に記憶されている用件メッセージのデータに基づいて用件メッセージを表示させること、
を特徴とする請求項９または１０に記載の電話機。
【発明の詳細な説明】
【技術分野】
【０００１】
本発明は、発信者側の外線電話機等により指定された用件メッセージを表示等する、いわゆる留守番機能を備えた電話機に関する。
【背景技術】
【０００２】
従来より、留守番機能を備えた電話機が普及しており、例えば特許文献１に記載されている電話機では、外部の発信者から外線電話機等により電話がかかってくると、その発信者の音声による用件メッセージを発呼者電話番号（外線電話機等の電話番号）と対応付けて半導体メモリやカセットテープ等のストレージ媒体にディタル録音やアナログ録音しておき、事後的にその用件メッセージを音声再生して受聴できるようにしている。
【０００３】
【特許文献１】特開平１１−２８９３７９号公報
【発明の開示】
【発明が解決しようとする課題】
【０００４】
上述したように、従来の留守番機能を備えた電話機では一般に、発信者からの用件メッセージを音声録音しておき、事後的にその録音しておいた用件メッセージを音声再生できるようにしている。
【０００５】
ところが、留守番機能を備えた電話機が例えば宅内の固定電話機等であり、発信者が外出先等から用件メッセージをその固定電話機等に録音させる場合、発声することができない場所（例えば、映画館や乗車中の電車内等の公共の場所）では、用件メッセージを知らせることができない等の問題があった。また、発信者にとって、発声により用件メッセージを知らせること自体が面倒でわずらわしくなる場合があった。
【０００６】
本発明は、こうした従来技術の課題に鑑みてなされたものであり、発信者が外線電話機等によって用件メッセージを受信者側に対して簡易且つ確実に知らせることができる、留守番機能を有する電話機を提供することを目的とする。
【課題を解決するための手段】
【０００７】
請求項１に記載の発明は、外線電話機等からの電話に応じて用件メッセージを表示する電話機であって、ユーザー操作にしたがって、前記外線電話機の発呼電話番号と用件メッセージのデータを記憶登録する記憶手段と、外線電話機等から電話がかかってくると、かかってきた前記外線電話機等の発呼電話番号と一致する発呼電話番号のデータが前記記憶手段に記録されているか否か調べ、一致する発呼電話番号のデータが前記記憶手段に存在すると、前記記憶手段に記憶登録されている前記用件メッセージのデータに基づいて表示手段に用件メッセージを表示させる主制御手段と、を有することを特徴とする。
【０００８】
請求項２に記載の発明は、外線電話機等からの電話に応じて用件メッセージを表示する電話機であって、ユーザー操作にしたがって用件メッセージのデータを記憶登録する記憶領域と、電話帳データを記憶する記憶する記憶領域を有する記憶手段と、外線電話機等から電話がかかってくると、かかってきた前記外線電話機等の発呼電話番号と一致する発呼電話番号のデータが前記電話帳データに存在するか否か調べ、一致する発呼電話番号のデータが前記電話帳データに存在すると、前記記憶手段に記憶登録されている前記用件メッセージのデータに基づいて表示手段に用件メッセージを表示させる主制御手段と、を有することを特徴とする。
【０００９】
請求項５に記載の発明は、親機と子機とを有し、外線電話機等からの電話に応じて前記親機または子機に用件メッセージを表示する電話機であって、ユーザーの前記親機の操作にしたがって、前記外線電話機の発呼電話番号と用件メッセージと前記親機または子機の装置番号のデータを記憶登録する前記親機に設けられた記憶手段と、外線電話機等から前記親機に電話がかかってくると、かかってきた前記外線電話機等の発呼電話番号と一致する発呼電話番号のデータが前記記憶手段に記録されているか否か調べ、一致する発呼電話番号のデータが前記記憶手段に存在すると、前記記憶手段に記憶登録されている前記親機または子機の装置番号のデータで示される親機または子機に設けられている表示手段に、前記用件メッセージのデータに基づいて用件メッセージを表示させる、前記親機に設けられている主制御手段と、を有することを特徴とする。
【００１０】
請求項６に記載の発明は、親機と子機とを有し、外線電話機等からの電話に応じて前記親機または子機に用件メッセージを表示する電話機であって、ユーザーの前記親機の操作にしたがって、前記外線電話機の発呼電話番号と用件メッセージと前記親機または子機の装置番号のデータを記憶する記憶領域と、電話帳データを記憶する記憶する記憶領域を有する、前記親機に設けられた記憶手段と、外線電話機等から前記親機に電話がかかってくると、かかってきた前記外線電話機等の発呼電話番号と一致する発呼電話番号のデータが前記親機の記憶手段に記録されているか否か調べ、一致する発呼電話番号のデータが前記記憶手段に存在すると、前記親機の記憶手段に記憶登録されている前記親機または子機の装置番号のデータで示される親機または子機に設けられている表示手段に、前記用件メッセージのデータに基づいて用件メッセージを表示させる、前記親機に設けられている主制御手段と、を有することを特徴とする。
【００１１】
請求項９に記載の発明は、親機と子機とを有し、外線電話機等からの電話に応じて前記親機または子機に用件メッセージを表示する電話機であって、ユーザーの前記子機の操作にしたがって、前記外線電話機の発呼電話番号と用件メッセージと前記親機または子機の装置番号のデータを記憶登録する、前記親機と子機に設けられた記憶手段と、外線電話機等から前記親機に電話がかかってくると、かかってきた前記外線電話機等の発呼電話番号と一致する発呼電話番号のデータが前記親機の記憶手段に記録されているか否か調べ、一致する発呼電話番号のデータが前記親機の記憶手段に存在すると、前記親機の装置番号のデータで示される親機に設けられている表示手段に、前記親機の記憶手段に記憶されている前記用件メッセージのデータに基づいて用件メッセージを表示させる、前記親機に設けられている主制御手段と、前記一致する発呼電話番号のデータが前記親機の記憶手段に存在すると、前記子機の装置番号のデータで示される子機に設けられている表示手段に、前記子機の記憶手段に記憶されている前記用件メッセージのデータに基づいて用件メッセージを表示させる、前記子機に設けられている主制御手段と、を有することを特徴とする。  
【００１２】
請求項１０に記載の発明は、親機と子機とを有し、外線電話機等からの電話に応じて前記親機または子機に用件メッセージを表示する電話機であって、ユーザーの前記子機の操作にしたがって、前記外線電話機の発呼電話番号と用件メッセージと前記親機または子機の装置番号のデータを記憶登録する記憶領域と、電話帳データを記憶する記憶領域とを有する、前記親機に設けられた記憶手段と、ユーザーの前記子機の操作にしたがって、前記外線電話機の発呼電話番号と用件メッセージと前記親機または子機の装置番号のデータを記憶登録する、前記子機に設けられた記憶手段と、外線電話機等から前記親機に電話がかかってくると、かかってきた前記外線電話機等の発呼電話番号と一致する発呼電話番号のデータが前記電話帳データに存在しているか否か調べ、一致する発呼電話番号のデータが前記電話帳データに存在していると、前記親機の装置番号のデータで示される親機に設けられている表示手段に、前記親機の記憶手段に記憶されている前記用件メッセージのデータに基づいて用件メッセージを表示させる、前記親機に設けられている主制御手段と、前記一致する発呼電話番号のデータが前記電話帳データに存在していると、前記子機の装置番号のデータで示される子機に設けられている表示手段に、前記子機の記憶手段に記憶されている前記用件メッセージのデータに基づいて用件メッセージを表示させる、前記子機に設けられている主制御手段と、を有することを特徴とする。
【発明を実施するための最良の形態】
【００１３】
（実施の形態１） 
本発明の好適な実施の形態１について図面を参照して説明する。図１（ａ）は、本実施形態１の電話機の構成を示すブロック図である。図１（ｂ）は、操作部と表示部との外観を部分的に表した平面図である。
【００１４】
図１（ａ）において、この電話機Ａは、外部回線送受信部１と、外部回線制御部２、主制御部３、操作部４、表示部５、記憶部６とを備えて構成されている。
【００１５】
外部回線送受信部１は、有線と無線とを問わず、更にアナログ通信とディジタル通信とを問わず、通信方式の異なる複数の通信網（固定電話回線、無線電話回線、ＩＰ電話網など）を利用して通信を行うことが可能な送受信回路が備えられている。ユーザーが通信会社との契約に基づいて、複数のライン接続端子Ｌ1〜Ｌｍのうちの所定のライン接続端子を外部回線にライン接続しておくと、外部回線送受信部１は契約に応じた回線を通じて通信を行い、外部回線側から到来する受信信号を主制御部３へ出力すると共に、主制御部３からの送信信号を外部回線側へ送出する。なお、図１（ａ）では、ユーザーが契約した固定電話回線ＬＩＮに固定電話ライン接続端子Ｌｍが接続された場合を例示している。
【００１６】
外部回線制御部２は、外部回線側から電話がかかってきた場合と、ユーザーが電話機Ａから電話をかける場合において、外部回線送受信部１に対して回線接続と回線遮断の制御を行う。つまり、外部回線制御部２は、外部回線送受信部１に対して、通話を行うための回線接続と、電話機Ａを切った状態にするための回線遮断の制御を行う。例えば、外線電話がかかってきた場合の基本的な制御について説明すると、外部回線制御部２は、外線電話による発呼信号を検出して主制御部３へ転送し、呼出音を所定回数鳴動する所定の発呼期間内に、後述の操作部４に備えられている受話器４ａ（図１（ｂ）参照）がユーザーによってオンフック操作されると、操作部４から主制御部３を介して供給されるオンフック信号に従って外部回線送受信部１を回線接続させ、通話を可能にする。また、外部回線制御部２は、上述のオンフック操作の後に受話器４ａがオフフック操作されると、操作部４から主制御部３を介して供給されるオフフック信号に従って外部回線送受信部１を回線遮断させ、通話遮断の状態に設定する。また、外部回線制御部２は、上述の発呼期間内に受話器４ａがオンフック操作されなかった場合には、外部回線送受信部１を回線遮断のままに維持させる。
【００１７】
主制御部３は、所定のシステムプログラムを実行するマイクロプロセッサ（ＭＰＵ）やデジタルシグナルプロセッサ（ＤＳＰ）を備えて構成されており、電話機Ａの動作を集中制御する。また、詳細については動作説明において後述するが、主制御部３は、上述のシステムプログラムを実行することで留守番機能を発揮し、外線電話機等で指定された用件メッセージを表示部５の画面に表示させる。
【００１８】
操作部４は、図１（ｂ）に示すように、ユーザーが通話を行う際に使用される受話器４ａと、ユーザーが相手先の電話番号を入力したり電話機Ａに備えられている機能を選択操作するための複数のプッシュ釦スイッチ（すなわち、数字キー、文字キー、記号キー、ファンクションキー等のプッシュ釦スイッチ）４ｂと、ユーザーが記憶部６の所定の記憶領域ＭＤに記憶されている電話番号帳データを検索したり、電話番号帳データを新規に作成する際に操作されるスイッチ４ｃ等を備えて構成されている。そして、操作部４は、受話器４ａがオンフック操作されるとオンフック信号を主制御部３へ出力し、受話器４ａがオフフック操作されるとオフフック信号を主制御部３へ出力し、プッシュ釦スイッチ４ｂが操作されて電話をかけるための相手先の電話番号が入力されると、その電話番号を示すデータを主制御部３へ出力する。また、ユーザーが所定のプッシュ釦スイッチ４ｂを操作して留守番機能を設定し、所望の外線電話機等の電話番号（以下、「発呼者電話番号」と称する）と表示するための用件メッセージを入力操作すると、主制御部３が、その発呼者電話番号データと用件メッセージデータとを対応付けて記憶部６に記憶・登録させる。
【００１９】
表示部５は、主制御部３による制御の下で動作する液晶ディスプレイ等で形成されており、ユーザーが操作部４を操作する内容に従って電話機Ａの操作方法を表示したり、電話をかける際の相手先電話番号を表示したり、ユーザーが発呼者電話番号と用件メッセージを留守番登録する際のその発呼者電話番号と用件メッセージを表示したり、また、外線電話機等によって相手先から指定された発呼者電話番号と用件メッセージを表示等する。
【００２０】
記憶部６は、主制御部３による制御の下で動作する不揮発性メモリ等で形成されており、複数の相手先電話番号を電話番号帳として登録するための電話番号帳データを記憶する記憶領域ＭＤと、発呼電話番号データと用件メッセージとを対応付けて記憶する記憶領域ＭＭとを備えて構成されている。なお、記憶領域ＭＭは、対応付けられた発呼電話番号データと用件メッセージデータとを複数組み記憶することが可能な所定の記憶容量に設定されている。
【００２１】
次に、かかる構成を有する電話機Ａの動作について、図２に示すフローチャート等を参照して説明する。なお、本実施形態１の主たる特徴である留守番機能について説明することとする。図２（ａ）は、ユーザーが例えば自宅に設置した電話機Ａに留守番登録をする際の電話機Ａの動作を示すフローチャート、図２（ｂ）は、ユーザーが留守番登録しておいた用件メッセージを、外線電話機等を用いて外出先等から指定する際の、電話機Ａの動作を示すフローチャートである。図２（ｃ）は、留守番登録に際して記憶部６に記憶されるデータを示した説明図である。
【００２２】
図２（ａ）において、ユーザーが操作部４に設けられている所定のプッシュ釦スイッチを操作すると、主制御部３が表示部５に留守番機能に関する留守番登録メニューを表示させる（ステップＳＴ１）。例えば、表示部５には、「発呼者電話番号／用件メッセージ登録可能」との留守番登録メニューが表示され、外線電話機等の発呼者電話番号と用件メッセージとの入力を促す。また、外線電話機等の発呼者電話番号が電話中データとして登録されていると、用件メッセージとの入力を促す。
【００２３】
次に、ステップＳＴ２において、ユーザーが上述の留守番登録メニューの表示に従って、プッシュ釦スイッチを操作して所望の外線電話機等の発呼者電話番号と用件メッセージを入力し後述の確定釦スイッチを操作すると、主制御部３が、その発呼者電話番号データと用件メッセージデータとを対応付けて記憶部６に記憶させ、更に表示部５において「留守番登録完了」等との表示をさせることで、留守番登録を完了する。また、外線電話機等の発呼者電話番号が記憶部６の記憶領域ＭＤに記憶されている場合には、ユーザーが上述のメニュー表示に従ってスイッチ４ｃ等を適宜に操作すると、主制御部３が外線電話機等の発呼者電話番号を表示部６にて表示させる。そして、ユーザーが所望する発呼者電話番号が表示されている状態で、プッシュ釦スイッチを操作して用件メッセージを入力し後述の確定釦スイッチを操作すると、主制御部３が、その表示されている発呼者電話番号データと用件メッセージデータとを対応付けて記憶部６の記憶領域ＭＤに記憶させ、更に表示部５において「留守番登録完了」等との表示をさせることで、留守番登録を完了する。
【００２４】
例えば、ユーザーが、所有している携帯電話機を外線電話機等として登録したいと欲した場合、その携帯電話機の電話番号である発呼者電話番号を入力して、あわせて表示する用件メッセージを入力すると、図２（ｃ）に例示するように、主制御部３がその発呼者電話番号データと用件メッセージデータとを対応付けて、記憶部６の所定の記憶領域ＭＭに記憶させる。
【００２５】
より具体的な例を述べれば、母親であるユーザーが外出する際、そのユーザーが所有している携帯電話機の発呼者電話番号「090123456」と、学校から帰宅した子供に用件を知らせるための用件メッセージ「今日の帰りは遅くなります。母より。」を入力した場合、その発呼者電話番号データと用件メッセージデータが対応付けて記憶部６に記憶・登録される。これにより、ユーザーが外出する際に、外出先等から知らせようとする用件メッセージを予め登録しておくことが可能となっている。
【００２６】
また、ユーザーが勤務先の固定電話機を外線電話機等として登録したいと欲した場合、その固定電話機の電話番号である発呼者電話番号を入力して用件メッセージを入力すると、主制御部３がその発呼者電話番号データと用件メッセージデータとを対応付けて記憶部６所定の記憶領域ＭＭに記憶させる。また、ユーザーが上述の携帯電話機の発呼者電話番号と用件メッセージを入力し、更に上述の固定電話機の発呼者電話番号と用件メッセージを入力すれば、２組の発呼者電話番号データと用件メッセージデータとを対応付けて記憶部６の記憶領域ＭＭに新規登録させることが可能である。
【００２７】
なお、詳細については割愛するが、操作部４に設けられている所定のプッシュ釦スイッチは、記憶領域ＭＤに記憶された発呼者電話番号データと用件メッセージデータを消去させるための消去釦スイッチ、発呼者電話番号データと用件メッセージデータを部分的に消去して再入力させるバックスペース（Back Space）釦スイッチ、発呼者電話番号と用件メッセージとの入力を確定させる確定釦スイッチとなっている。また、表示部５に留守番登録メニューが表示されている状態で、ユーザーがスイッチ４ｃ等を操作すると、主制御部３が、その内容に応じて、既に記憶領域ＭＤに記憶されている発呼者電話番号データと用件メッセージデータに基づいて、対応付けられている発呼者電話番号と用件メッセージを順番且つ個別に表示させる。そして、ユーザーの所望する発呼者電話番号と用件メッセージが表示部５に表示されている状態で、ユーザーが上述の消去釦スイッチをオン操作すると、主制御部３がその発呼者電話番号と用件メッセージのデータを記憶部６から消去させる。
【００２８】
したがって、ユーザーが上述の消去釦スイッチ、バックスペース釦スイッチ、確定釦スイッチ、スイッチ４ｃ等を適宜に操作することで、所望の発呼者電話番号と用件メッセージのデータを対応付けて編集したり新規に登録したり、既に記憶領域ＭＤに記憶・登録されている発呼者電話番号と用件メッセージのデータを消去したり、１又は複数組の発呼者電話番号と用件メッセージのデータを記憶領域ＭＭに登録させておくことが可能となっている。
【００２９】
以上に説明した留守番登録をした後、ユーザーが外出先等において、上述の登録しておいた外部電話機等により電話機Ａに電話をかけると、図２（ｂ）に示すステップＳＴ３において、主制御部３が、外部回線制御部２で検出される発呼信号を入力し、その発呼信号に含まれている発呼者電話番号を検出し、更に発呼者電話番号を検出した時刻（以下、「発呼時刻」と称する）を、電話機Ａに内蔵されているタイムベースに基づいて確定する。
【００３０】
次に、ステップＳＴ４において、主制御部３が、操作部４に設けられているスピーカにて呼出音の鳴動を開始させる。
【００３１】
次に、ステップＳＴ５において、主制御部３が、上述のステップＳＴ３で検出した発呼者電話番号と一致する発呼者電話番号データが記憶部６の記憶領域ＭＭに記憶されているか否か調べる。そして、発呼者電話番号と一致する発呼者電話番号データが存在すると（Yesの場合）、ステップＳＴ６に移行し、発呼者電話番号と一致する発呼者電話番号データと、その発呼者電話番号データに対応付けられている用件メッセージデータとを記憶部６から読み出して表示部５に供給し、発呼者電話番号と用件メッセージとを表示させ、その表示を継続させたままステップＳＴ７へ移行する。
【００３２】
例えば、上述した発呼者電話番号が「090123456」である携帯電話機によって母親が外出先等から電話機Ａに電話をした場合には、主制御部３が、ステップＳＴ３〜ＳＴ６の処理を行うことで、発呼信号に含まれている発呼者電話番号「090123456」と一致する発呼者電話番号データと、発呼者電話番号データに対応付けられている用件メッセージデータとを記憶部６の記憶領域ＭＭから検索し、その検索した発呼者電話番号データと用件メッセージデータに基づいて、図１（ｂ）に例示するように、発呼者電話番号「090123456」と用件メッセージ「今日の帰りは遅くなります。母より。」と発呼時刻を表示部５に表示させ、その表示を継続させる。
【００３３】
一方、ステップＳＴ５において、主制御部３が、発呼者電話番号と一致する発呼者電話番号データが記憶部６の記憶領域ＭＭに記憶されていない場合（Noの場合）には、ステップＳＴ６の処理を行うことなく、ステップＳＴ７へ移行する。
【００３４】
次に、ステップＳＴ７では、主制御部３が通常の処理を行う。つまり、主制御部３が、呼出音の鳴動を監視しつつ、発呼期間内に外線電話機等からの発呼信号が途中で切られたか否か、また、発呼期間内に受話器４ａがオンフック操作されたか否か調べる。そして、発呼信号が途中で切られた場合には、呼出音の鳴動を停止させると共に、外部回線制御部２に指令して外部回線送受信部１を回線遮断の状態に設定させる。また、発呼期間内に受話器４ａがオンフック操作された場合には、呼出音の鳴動を停止させると共に、外部回線制御部２に指令して外部回線送受信部１を回線接続の状態に設定させて通話を可能にし、その後オフフック操作されると外部回線制御部２に指令して外部回線送受信部１を回線遮断の状態に設定させる。また、受話器４ａがオンフック操作されることなく発呼期間が経過すると、呼出音の鳴動を停止させると共に、外部回線制御部２に指令して外部回線送受信部１を回線遮断の状態に設定させる。
【００３５】
このように、ステップＳＴ７では、主制御部３が回線接続や回線遮断の処理を行って処理を終了し、次の電話がかかってくるまで待機することとなる。ただし、待機している間、表示部５には発呼者電話番号と用件メッセージと発呼時刻が継続して表示される。つまり、記憶部６から発呼者電話番号データと用件メッセージデータが消去釦スイッチ等の操作によって消去されるまで、発呼者電話番号と用件メッセージと発呼時刻が継続して表示される。
【００３６】
以上に説明したように、実施の形態１の電話機Ａによれば、ユーザーが外出先等で使用する外線電話機等の発呼者電話番号と用件メッセージとを対応付けて電話機Ａに予め登録しておき、ユーザーがその登録しておいた外線電話機等を用いて外出先等から電話機Ａに電話をかけると、外線電話機等の発呼者電話番号がトリガーとなって、その発呼者電話番号と用件メッセージと発呼時刻とが電話機Ａの表示部５に表示される。したがって、ユーザーは、登録しておいた外線電話機等を用いて電話機Ａに電話をかけるだけで用件メッセージを通知することができ、更に外線電話機等により電話をかけた時刻を発呼時刻として通知することができ、更に発呼者電話番号により誰が電話をかけたか通知することができる。更に、外線電話機等に用件メッセージを入力して電話をかけたり、発声して用件メッセージを録音させる必要もないので、外出先等において煩雑な操作をする必要がない。このため、ユーザーに対して優れた操作性を提供することが可能である。
【００３７】
また、ユーザーが所有等する携帯電話機や安全に管理されている固定電話機等を外線電話機等として、それらの発呼者電話番号と用件メッセージを対応付けて電話機Ａに登録しておけば、秘密漏洩を未然に防止して、確実に電話機Ａに用件メッセージを通知することができる。このため、実施の形態１の電話機Ａは、秘密漏洩の問題を回避することが可能である。
【００３８】
また、実施の形態１の電話機Ａは、複数の外線電話機等の発呼者電話番号と用件メッセージとを夫々対応付けて予め登録することが可能である。例えば、ユーザーが所有する携帯電話機の発呼者電話番号Ｘ１と用件メッセージＹ１とを対応付けて予め登録し、更に、安全に管理されている固定電話機の発呼者電話番号Ｘ２と用件メッセージＹ２（用件メッセージＹ１とは異なるメッセージ）を対応付けて予め登録することが可能である。ユーザーがこうした複数の登録をしておけば、携帯電話機と固定電話機を適宜に利用して、２種類の用件メッセージＹ１，Ｙ２を選択して通知することができる。また、上述した用件メッセージＹ２と用件メッセージＹ１とを同じ内容にして登録することも可能である。この場合には、ユーザーが携帯電話機又は固定電話機を利用して、同じ内容の用件メッセージを通知することができる。このように、ユーザーにとって利用形態を広げることが可能であるため、電話機Ａは優れた利便性を提供することができる。
【００３９】
なお、以上に説明した実施の形態１では、表示部６が液晶ディスプレイ等の多数の文字や記号等を面表示することが可能なディスプレイで形成されているが、点灯と消灯のみを行う発光ダイオード等の単純な発光素子を設けて用件メッセージを通知する構成としてもよい。例えば、用件メッセージを通知させる場合を発光、用件メッセージを通知させない場合を消灯として対応付けて、主制御部３のシステムプログラムを作成しておく。そして、ユーザーが所望の外線電話機等の発呼者電話番号と用件メッセージを操作部４から入力して予約登録した後、外出先等から外線電話機等によって電話機Ａに電話をかけると、主制御部３が、その外線電話機等の発呼者電話番号と、記憶部６に記憶・登録されている発呼者電話番号データとが一致した場合に、発光ダイオード等の発光素子を点灯させる。
【００４０】
かかる構成によれば、発光素子を点灯させるのみとなるため、用件メッセージの具体的な内容を通知することはできないが、予め家族内の約束事として用件メッセージを決めて周知しておけば、発光素子を点灯させるだけで、用件メッセージを通知することが可能である。また、かかる構成によれば、液晶ディスプレイ等の表示装置を備えていない電話機においても、本実施の形態１の技術を適用することが可能である。
【００４１】
また、表示部５が液晶ディスプレイ等で形成される場合、発呼者電話番号と用件メッセージと発呼時刻を所定行数ずつに分割して、スクロール表示させるようにしてよい。このようにスクロール表示を行うことで、表示部５の画面において有効な表示を行ったり、画面の小さな表示部５で構成することが可能である。
【００４２】
また、以上に説明した実施の形態１では、外線電話機等からの電話に応じて用件メッセージを表示させ、用件メッセージを表示したことの確認を外線電話機等へ返信することはしていない。しかし、発呼者電話番号をトリガとして呼び出し音を鳴動している発呼期間内に、主制御部３が用件メッセージを表示させるための処理を行うため、ユーザーは外線電話機等から電話機Ａに電話をしても電話料金がかからずに、用件メッセージを通知することが可能である。
【００４３】
ただし、用件メッセージを表示したことの確認を外線電話機等へ返信する構成とすることで、より通信の確実性を向上させるようにしてもよいことは言うまでもない。
【００４４】
また、図２（ｂ）のステップＳＴ４で呼出音の鳴動を開始させ、その呼出音鳴動中に、ステップＳＴ６で説明した発呼者番号と用件メッセージと発呼時刻との表示を開始させることとしているが、ステップＳＴ７において回線接続や回線遮断の処理を行って処理を終了する時点から発呼者番号と用件メッセージとの表示を開始さ、次の電話がかかってくるまで待機するようにしてもよい。
【００４５】
また、以上に説明した実施の形態１では、図２（ａ）のステップＳＴ２で留守番登録すると、図２（ｃ）に示したように、発呼電話番号データと用件メッセージデータとが対応付けて記憶領域ＭＭに記憶されるようになっているが、図２（ｄ）に示すように、通知の表示を開始させる時間（時刻）のデータも発呼電話番号データと用件メッセージデータとに対応付けて記憶領域ＭＭに記憶するようにしてもよい。つまり、変形例として次に述べる構成としてもよい。
【００４６】
まず、図２（ａ）のステップＳＴ１でユーザーが留守番登録メニューを表示させ、外線電話機等の発呼電話番号と用件メッセージと時間（時刻）を入力すると、ステップＳＴ２において、主制御部３が、その発呼電話番号データと用件メッセージデータと時刻データとを対応付けて記憶部６に記憶させる。
【００４７】
例えば、母親であるユーザーが外出する際、そのユーザーが所有している携帯電話機の発呼者電話番号「090123456」と、学校から帰宅した子供に用件を知らせるための用件メッセージ「今日の帰りは遅くなります。母より。」と、時刻を「３時」として入力して確定すると、図２（ｄ）に示すように、その発呼者電話番号データと用件メッセージデータと時刻データが対応付けて記憶部６に記憶・登録される。
【００４８】
ただし、詳細については後述するが、ユーザーが発呼電話番号と用件メッセージを入力して確定すれば、時刻を入力しなくともよく、その場合には、図２（ｃ）に示したように、用件メッセージデータと時刻データが対応付けて記憶部６に記憶・登録される。
【００４９】
次に、留守番登録をした後、ユーザーが外出先等において、上述の登録しておいた外部電話機等により電話機Ａに電話をかけると、図２（ｂ）に示すステップＳＴ３において、主制御部３が、外部回線制御部２で検出される発呼信号を入力し、その発呼信号に含まれている発呼者電話番号を検出し、更に発呼者電話番号を検出した発呼時刻を確定する。
【００５０】
次に、ステップＳＴ４において、主制御部３が、操作部４に設けられているスピーカにて呼出音の鳴動を開始させる。
【００５１】
次に、ステップＳＴ５において、主制御部３が、上述のステップＳＴ３で検出した発呼者電話番号と一致する発呼者電話番号データが記憶部６の記憶領域ＭＭに記憶されているか否か調べる。そして、発呼者電話番号と一致する発呼者電話番号データが存在していない場合（Noの場合）には、ステップＳＴ７に移行して前述した通常処理が行われる。
【００５２】
一方、発呼者電話番号と一致する発呼者電話番号データが存在していると（Yesの場合）、ステップＳＴ６に移行する。ここで、この変形例では、ステップＳＴ６において、主制御部３が発呼者電話番号と一致する発呼者電話番号データに対応付けられている時刻データが存在しているか否か調べ、時刻データが存在していない場合には、主制御部３が発呼者電話番号と用件メッセージと発呼時刻を表示部５に表示させて、ステップＳＴ７の処理を行う。
【００５３】
また、時刻データが存在している場合には、主制御部３が、電話機Ａに内蔵されているタイムベースに基づいて実際の時刻を管理し、時刻データと一致する時刻になった時点から、発呼者電話番号と用件メッセージと発呼時刻とを表示部５にて表示させる。つまり、時刻データが存在している場合には、ステップＳＴ６において発呼者電話番号と用件メッセージと発呼時刻との表示を開始させるのではなく、ステップＳＴ７における通常の処理が終わって、次の電話がかかってくるまで待機しているときに、時刻データと一致する時刻になった時点から、発呼者電話番号と用件メッセージと発呼時刻とを表示部５にて表示させる。
【００５４】
更に、時刻データが存在している場合、主制御部３が電話機Ａに内蔵されているタイムベースに基づいて実際の時刻を管理し、時刻データで示される時刻が実際の時刻より以前の時刻、つまり時刻データで示される時刻が既に経過していると、ステップＳＴ６において、上述したように時刻データが存在していない場合と同様の処理を行い、発呼者電話番号と用件メッセージと発呼時刻とを表示部５に表示させて、ステップＳＴ７の処理を行う。
【００５５】
以上に説明した変形例によると、ユーザーは用件メッセージを表示させる時刻を指定することができ、利便性の向上等を図ることが可能である。更に、ユーザーが予め登録しておいた時刻が発呼時刻より前の時刻であったとしても、用件メッセージは表示されるため、ユーザーにとって確実に用件メッセージを通知することができる。更に、この変形例によると、ユーザーが、発呼電話番号と用件メッセージと時刻とから成る複数組のデータを記憶部４に登録し、各組の時刻を異なる時刻にしておけば、夫々の異なる時刻に用件メッセージを通知することができるため、利便性の向上等を図ることが可能である。
【００５６】
また、この変形例の更なる変形例として、上述の登録される時刻を、外出先等から電話をかける時間帯とし、その時間帯に外線電話機等から電話がかかってきた場合に、主制御部３が、発呼時刻と、登録されている時刻（その時間帯）に対応付けられている発呼電話番号と用件メッセージとを表示部５にて表示させるようにしてもよい。
【００５７】
例えば、登録される時刻が２時であれば時間帯が２時から３時前までの期間、登録される時刻が３時であれば時間帯が３時から４時前までの期間というように、システムプログラムによって、時間帯を所定時間毎に決めておく。
【００５８】
そして、例えば、上述の母親であるユーザーが、発呼者電話番号「090123456」と、用件メッセージ「今日はいつもの時間に帰宅します。母より。」と、時間帯である時刻「２時」を入力して、記憶領域ＭＭに第１組の登録を行い、更に発呼者電話番号「090123456」と、用件メッセージ「今日の帰りは遅くなります。母より。」と、時間帯である時刻「３時」を入力して、記憶領域ＭＭに第２組の登録を行っておくと、外出先等から２時の時間帯に電話をかけた場合には、主制御部３が、図２（ｂ）に示したステップＳＴ５において、登録された発呼電話番号であるとの確認、及び、２時の時間帯に電話がかかってきたことの確認をした上で、ステップＳＴ６の処理に移行し、発呼者電話番号「090123456」と、用件メッセージ「今日はいつもの時間に帰宅します。母より。」と、発呼時刻とを表示部５にて表示させる。つまり、この更なる変形例では、主制御部３がステップＳＴ５において、発呼電話番号と記憶領域ＭＭに登録されている発呼電話番号データとが一致しているか否か調べるだけでなく、更に時刻データによって登録されている時間帯に電話がかかってきたか否かも調べて、両者の条件が満たされた場合に、発呼者電話番号と用件メッセージと発呼時刻とを表示部５にて表示させる。
【００５９】
また、ユーザーがその後、外出先等から３時の時間帯に電話をかけた場合には、主制御部３が、図２（ｂ）に示したステップＳＴ５において、登録された発呼電話番号であるとの確認、及び、３時の時間帯に電話がかかってきたことの確認をした上で、ステップＳＴ６の処理に移行し、発呼者電話番号「090123456」と、用件メッセージ「今日の帰りは遅くなります。母より。」と、発呼時刻とを表示部５にて表示させる。
【００６０】
なお、この更なる変形例の場合、時間帯の異なる複数組の発呼電話番号と用件メッセージのデータが記憶領域ＭＭに登録され、個々の時間帯の時間経過順に複数回の電話がかかってきた場合、主制御部３は、ステップＳＴ５において、前回表示させた発呼電話番号と用件メッセージと発呼時刻を更新して、最新の時間帯に対応する発呼電話番号と用件メッセージと発呼時刻とを表示部５にて表示させることで、最新の用件メッセージを優先して表示させる。
【００６１】
このように、個々の時間帯に対応付けて発呼電話番号と用件メッセージを登録する構成とすると、ユーザーは外出先等から個々の時間帯に電話をかけることで、個別に用件メッセージを通知することができる。このため、更なる変形例によれば、更に利便性の向上を図ることが可能である。
【００６２】
また、以上に説明した実施の形態１の電話機Ａは、留守番登録の際にユーザーが外線電話機等の発呼者電話番号と用件メッセージと入力することとしているが、用件メッセージだけを入力させ、記憶領域ＭＭにはその用件メッセージデータを記憶させ、発呼者電話番号は、記憶領域ＭＤに記憶されている電話帳データを利用するようにしてもよい。この場合、図２（ｂ）のステップＳＴ３において、主制御部３が、外線電話機等からの発呼電話番号と電話帳データとを比較・検索し、更にステップＳＴ５において、電話帳データの中に発呼電話番号と一致する発呼電話番号データが存在していた場合にステップＳＴ６の処理に移行して、発呼電話番号と用件メッセージと発行時刻を表示部５にて表示させる。
【００６３】
かかる構成によれば、留守番登録に際し、ユーザーにとって入力操作の簡素化を図ることができ、操作性の向上を図ることができる。
【００６４】
（実施の形態２）
次に、実施の形態２に係る電話機について、図３を参照して説明する。
実施の形態２に係る電話機は、親機１０と子機１８とにより構成されている。図３（ａ）が親機１０の構成、図３（ｂ）が子機１８の構成を示すブロック図である。また、図３（ａ）において、図１（ａ）と同一又は相当する部分が、同一符号で示されている。
【００６５】
図３（ａ）において、親機１０は、外部回線送受信部１と、外部回線制御部２、主制御部３、操作部４、表示部５、記憶部６、内部回線送受信部７、内部回線制御部８とを備えて構成されている。
【００６６】
内部回線送受信部７は、１又は複数の子機１８との間で双方向通信を行う。内部回線制御部８は、主制御部３からの指示に従って、内部回線送受信部７に対して、１又は複数の子機１８との間で双方向通信を行わせる回線接続と双方向通信を遮断させる回線遮断との制御を行う。
【００６７】
なお、図３（ａ）では、内部回線送受信部７が、端子Ｐ１に接続された無線アンテナ９を介して、１又は複数の子機１８との間で無線により双方向通信を行う場合を示しており、他の端子Ｐn等と１又は複数の子機１８とを通信ケーブルで接続すれば、有線による双方向通信を行うことが可能となっている。
【００６８】
主制御部３は、実施の形態１と同様に、所定のシステムプログラムを実行するマイクロプロセッサ（ＭＰＵ）やデジタルシグナルプロセッサ（ＤＳＰ）を備えて構成されており、電話機Ａの動作を集中制御する。また、詳細については動作説明において後述するが、主制御部３は、上述のシステムプログラムを実行することで留守番機能を発揮し、ユーザーが操作部４を操作して予め設定した動作設定条件に従って、外線電話機等で指定された用件メッセージを、表示部５または子機１８に設けられている表示部１５にて表示させる。
【００６９】
操作部４は、図１（ｂ）に示したのと同様に、複数のプッシュ釦スイッチ４ｂと、スイッチ４ｃ等を備えて構成されている。ユーザーが所定のプッシュ釦スイッチ４ｂを操作して留守番機能を設定し、所望の外線電話機等の発呼者電話番号と、用件メッセージと、親機１０または子機１８の装置番号とを入力操作すると、主制御部３が、その発呼者電話番号データと用件メッセージデータと装置番号データを対応付けて記憶部６に記憶・登録させる。
【００７０】
表示部５は、主制御部３による制御の下で動作する液晶ディスプレイ等で形成されており、ユーザーが操作部４を操作する内容に従って親機１０の操作方法を表示したり、電話をかける際の相手先電話番号を表示したり、ユーザーが用件メッセージを留守番登録する際のその用件メッセージを表示したり、また、外線電話機等によって相手先から指定された用件メッセージと発呼者電話番号を表示等する。
【００７１】
記憶部６は、主制御部３による制御の下で動作する不揮発性メモリ等で形成されており、複数の相手先電話番号を電話番号帳として登録するための電話番号帳データを記憶する記憶領域ＭＤと、発呼電話番号データと用件メッセージと装置番号とを対応付けて記憶する記憶領域ＭＭとを備えて構成されている。なお、記憶領域ＭＭは、対応付けられた発呼電話番号データと用件メッセージデータと装置番号データを複数組み記憶することが可能な所定の記憶容量に設定されている。
【００７２】
次に、図３（ｂ）において、子機１８は、内部回線送受信部１１と、内部回線制御部１２、主制御部１３、操作部１４、表示部１５、記憶部１６とを備えて構成されている。
【００７３】
内部回線送受信部１１は、端子Ｑ1に接続された無線アンテナ１７を介して、親機１０の内部回線送受信部７との間で無線による双方向通信を行う。
【００７４】
なお、図３（ｂ）では、内部回線送受信部１１が、端子Ｑ1に接続された無線アンテナ１７を介して無線により双方向通信を行う場合を示しているが、他の端子Ｑn等と親機１０の端子Ｐn等とを通信ケーブルで接続すれば、有線による双方向通信を行うことが可能となっている。
【００７５】
内部回線制御部１２は、主制御部１３からの指示に従って、内部回線送受信部１１に対して、親機１０との間で双方向通信を行わせる回線接続と双方向通信を遮断させる回線遮断との制御を行う。
【００７６】
記憶部１６は、不揮発性メモリ等で形成されており、電話帳データを記憶する記憶領域と、親機１０から送信されてくる用件メッセージデータ等を記憶する記憶領域が設けられている。
【００７７】
表示部１５は、主制御部１３による制御の下で動作する液晶ディスプレイ等で形成されており、ユーザーが操作部１４を操作する内容に従って子機１８の操作方法を表示したり電話をかける際の相手先電話番号を表示したり、上述の記憶部１６に記憶された用件メッセージデータ等に基づいて用件メッセージ等を表示する。
【００７８】
操作部１４は、親機１０に設けられている操作部４と同様に、複数のプッシュ釦スイッチ４ｂと、スイッチ４ｃ等を備えて構成され、更に、通話を行うためのスピーカとマイクロホンも設けられている。
【００７９】
主制御部１３は、所定のシステムプログラムを実行するマイクロプロセッサ（ＭＰＵ）やデジタルシグナルプロセッサ（ＤＳＰ）を備えて構成されており、子機１８の動作を集中制御する。
【００８０】
そして、本実施形態２の受信機が、親機１０と複数の子機１８とによって構成される場合、図３（ｃ）に例示するように、親機１０と複数の子機１８ａ〜１８jとの間で双方向通信を行うようになっている。
【００８１】
次に、図４を参照して、本実施形態２の電話機の動作について説明する。図４（ａ）は、ユーザーが例えば自宅に設置した親機１０に留守番登録をする際の親機１０の動作を示すフローチャート、図４（ｂ）（ｃ）は、ユーザーが留守番登録しておいた用件メッセージを、外線電話機等を用いて外出先等から指定する際の、親機１０と子機１８の動作を示すフローチャートである。図４（ｄ）は、留守番登録に際して、親機１０の記憶部１６に記憶されるデータを示した説明図である。
【００８２】
図４（ａ）において、ユーザーが親機１０の操作部４に設けられている所定のプッシュ釦スイッチを操作すると、主制御部３が表示部５に留守番機能に関する留守番登録メニューを表示させる（ステップＳＴ１１）。
【００８３】
次に、ステップＳＴ１２において、ユーザーが上述の留守番登録メニューの表示に従って、プッシュ釦スイッチを操作し、所望の外線電話機等の発呼者電話番号と用件メッセージと、親機１０または子機１８の装置番号を入力して確定すると、主制御部３が、図４（ｄ）に示すように、その発呼者電話番号データと用件メッセージデータと装置番号データを対応付けて記憶部１６の所定の記憶領域ＭＭに記憶させ、更に表示部５において「留守番登録完了」との表示をさせることで、留守番登録を完了する。
【００８４】
つまり、ユーザーが親機１０または子機１８の装置番号を入力するに際して、親機１０の装置番号＃０を入力すると、発呼者電話番号データと用件メッセージデータと装置番号データ＃０が対応付けて記憶領域ＭＭに記憶される。また、図３（ｃ）に示したように、複数の子機１８ａ〜１８ｊが在る場合、そのうちの子機１８ａの装置番号＃ａをユーザーが入力すると、発呼者電話番号データと用件メッセージデータと装置番号データ＃ａが対応付けて記憶領域ＭＭに記憶され、また、複数の子機１８ａ，１８ｂの装置番号＃ａ，＃ｂをユーザーが入力すれば、発呼者電話番号データと用件メッセージデータと装置番号データ＃ａ，＃ｂが対応付けて記憶領域ＭＭに記憶される。また、ユーザーが、親機１０の装置番号＃０と、１または複数の子機の装置番号を入力すると、発呼者電話番号データと用件メッセージデータと装置番号データ＃０とその１または複数の子機の装置番号データが対応付けて記憶領域ＭＭに記憶される。
【００８５】
なお、実施の形態１において説明したのと同様に、ユーザーは、所定のプッシュ釦スイッチ（消去釦スイッチ、バックスペース釦スイッチ、確定釦スイッチ）を操作して、発呼者電話番号と用件メッセージと装置番号を編集したり、記憶領域ＭＭに記憶されているデータの消去等を行うことが可能である。
【００８６】
以上に説明した留守番登録をした後、ユーザーが外出先等において、上述の登録しておいた外部電話機等により電話機Ａに電話をかけると、図４（ｂ）に示すステップＳＴ１３において、親機１０の主制御部３が、外部回線制御部２で検出される発呼信号を入力し、その発呼信号に含まれている発呼者電話番号を検出し、更に発呼者電話番号を検出した時刻（発呼時刻）を、親機１０に内蔵されているタイムベースに基づいて確定する。
【００８７】
次に、ステップＳＴ１４において、主制御部３が、上述のステップＳＴ１３で検出した発呼者電話番号と一致する発呼者電話番号データが記憶部６の記憶領域ＭＭに記憶されているか否か調べる。そして、発呼者電話番号と一致する発呼者電話番号データが存在すると（Yesの場合）、ステップＳＴ１５に移行する。発呼者電話番号と一致する発呼者電話番号データが存在しない場合（Noの場合）には、ステップＳＴ１８において、主制御部３が、操作部４に設けられているスピーカにて呼出音の鳴動を開始させて、後述のステップＳＴ１９に移行する。
【００８８】
ステップＳＴ１５では、主制御部３が、上述の一致する発呼者電話番号データに対応付けて記憶領域ＭＭに記憶されている装置番号データを調べ、用件メッセージ等を表示させるための親機１０または子機１８を特定する。
【００８９】
例えば、主制御部３は、装置番号データ＃０が記憶されていれば親機１０を特定し、装置番号データ＃ａが記憶されていれば子機１８ａを特定し、装置番号データ＃ａ，＃ｂが記憶されていれば子機１８ａ，１８ｂを特定し、装置番号データ＃０，＃ａが記憶されていれば親機１０と子機１８ａを特定し、装置番号データ＃０，＃ａ，＃ｂが記憶されていれば親機１０と子機１８ａ，１８ｂを特定することになる。
【００９０】
次に、ステップＳＴ１６において、主制御部３が、何れかの子機を特定したことを再確認した上で、内部回線制御部８に指令して、内部回線送受信部７を回線接続の状態に設定させ、発呼時刻を示すデータと、記憶領域ＭＭに記憶されている発呼者電話番号データと用件メッセージデータと装置番号データを、上述の特定した子機側へ送信させる。
【００９１】
ただし、主制御部３がステップＳＴ１５において親機１０のみを特定した場合には子機側への送信を行わない。
【００９２】
例えば、上述したように主制御部３が子機１８ａを特定した場合には子機１８ａへ送信し、子機１８ａ，１８ｂを特定した場合には子機１８ａ，１８ｂへ送信する。また、主制御部３が親機１０と子機１８ａを特定した場合には子機１８ａへ送信し、親機１０と子機１８ａ，１８ｂを特定した場合には子機１８ａ，１８ｂへ送信する。また、親機１０のみを特定した場合には、ステップＳＴ１６において子機側への送信を行わないことになる。
【００９３】
なお、発呼時刻を示すデータと発呼者電話番号データと用件メッセージデータと装置番号データが送信されてきた子機側の動作については、図４（ｃ）のフローチャートに基づいて後述することとする。
【００９４】
次に、ステップＳＴ１７において、主制御部３が、親機１０を特定したことを再確認した上で、操作部４に設けられているスピーカにて呼出音の鳴動を開始させ、更に、発呼者電話番号と一致する発呼者電話番号データと、その発呼者電話番号データに対応付けられている用件メッセージデータとを記憶部６から読み出して表示部５に供給すると共に、発呼時刻データを表示部５に供給することで、発呼者電話番号と用件メッセージと発呼時刻とを表示させ、その表示を継続させたままステップＳＴ１９へ移行する。
【００９５】
つまり、主制御部３は、親機１０のみを特定した場合、または、親機１０と１または複数の子機を特定した場合に、ステップＳＴ１７において、発呼者電話番号と用件メッセージと発呼時刻とを表示部５にて表示させる。一方、１または複数の子機を特定したが、親機１０を特定しない場合には、発呼者電話番号と用件メッセージと発呼時刻とを表示部５に表示させることをしない。
【００９６】
次に、ステップＳＴ１９では、主制御部３が通常の処理を行う。つまり、主制御部３が、子機間での双方向通信を開始させて、子機１８においても呼出音の鳴動を開始させ、更に、呼出音の鳴動継続時間を計時しつつ、発呼期間内に外線電話機等からの発呼信号が途中で切られたか否か、また、発呼期間内に親機１０または子機１８がオンフック操作されたか否か調べる。そして、発呼信号が途中で切られた場合には、親機１０と子機１８の呼出音を停止させると共に、外部回線制御部２に指令して外部回線送受信部１を回線遮断の状態に設定させ、更に子機１８も回線遮断に設定する。
【００９７】
また、発呼期間内に子機１８より先に親機１０がオンフック操作された場合には、親機１０と子機１８の呼出音を停止させると共に、外部回線制御部２に指令して外部回線送受信部１を回線接続の状態に設定させて親機１０による通話を可能にし、その後オフフック操作されると外部回線制御部２に指令して外部回線送受信部１を回線遮断の状態に設定させる。
【００９８】
また、発呼期間内に親機１０より先に子機１８がオンフック操作された場合には、親機１０と子機１８の呼出音を停止させ、更に外部回線制御部２に指令して外部回線送受信部１を回線接続の状態に設定させ、且つ、内部回線送信部７，１１を回線接続の状態に設定させることで、子機１８による通話を可能にし、その後、子機１８がオフフック操作されると外部回線制御部２に指令して外部回線送受信部１を回線遮断の状態に設定させ、更に子機１８も回線遮断に設定する。
【００９９】
また、親機１０及び子機１８がオンフック操作されることなく発呼期間が経過すると、親機１０と子機１８の呼出音を停止させると共に、外部回線制御部２に指令して外部回線送受信部１を回線遮断の状態に設定させ、更に子機１８も回線遮断に設定する。
【０１００】
このように、ステップＳＴ１９では、主制御部３が回線接続や回線遮断の処理を行って処理を終了し、次の電話がかかってくるまで待機することとなる。ただし、待機している間、表示部５には発呼者電話番号と用件メッセージと発呼時刻が継続して表示される。つまり、図４（ａ）のステップＳＴ１１，ＳＴ１２で説明した、記憶部６から発呼者電話番号データと用件メッセージデータが消去釦スイッチの操作によって消去されるまで、発呼者電話番号と用件メッセージと発呼時刻が継続して表示される。
【０１０１】
次に、上述したステップＳＴ１６で、親機１０から子機側へ、発呼時刻を示すデータと発呼者電話番号データと用件メッセージデータとを送信した場合の子機側の動作について、図４（ｃ）のフローチャートに基づいて説明する。
【０１０２】
まず、ステップＳＴ２０において、子機１８の主制御部１３が、内部回線送受信部１１を介して、発呼時刻を示すデータと発呼者電話番号データと用件メッセージデータと装置番号データを受信し、記憶部１６に記憶させる。
【０１０３】
次に、ステップＳＴ２１において、主制御部１３が、自身の子機１８の装置番号と装置番号データとが一致するか否か調べ、一致する場合（Yesの場合）にはステップＳＴ２２、一致しない場合（Noの場合）には、ステップＳＴ２３において呼出音の鳴動を開始させて、後述のステップＳＴ２４に移行する。
【０１０４】
例えば、図４（ｃ）に示したように複数の子機１８ａ〜１８ｊが在る場合、子機１８ａの装置番号と装置番号データとが一致する場合には、その子機１８ａに設けられている主制御部１３がステップＳＴ２２の処理に移行し、子機１８ａ，１８ｂの装置番号と装置番号データとが一致する場合には、その子機１８ａ，１８ｂに設けられている主制御部１３がステップＳＴ２２の処理に移行する。つまり、複数の子機１８ａ〜１８ｊのうち、自身の装置番号と装置番号データとが一致する子機１８だけが、ステップＳＴ２１を経由してステップＳＴ２２の処理に移行し、それ以外の子機１８、つまり自身の装置番号と装置番号データとが一致しない子機は、ステップＳＴ２１を経由してステップＳＴ２３，ＳＴ２４の処理に移行する。
【０１０５】
ステップＳＴ２２では、装置番号と装置番号データとが一致した子機１８の主制御部１３が、操作部１４に設けられているスピーカにて呼出音の鳴動を開始させ、更に、発呼者電話番号と一致する発呼者電話番号データと、その発呼者電話番号データに対応付けられている用件メッセージデータとを記憶部１６から読み出して表示部１５に供給すると共に、発呼時刻データを表示部１５に供給することで、発呼者電話番号と用件メッセージと発呼時刻とを表示させ、その表示を継続させたままステップＳＴ２４へ移行する。
【０１０６】
次に、ステップＳＴ２４では、各々の子機１８の主制御部１３が通常の処理を行う。つまり、主制御部１３は、親機１０の外部回線送受信部１が回線遮断の状態に設定されたか否か調べる。そして、回線遮断の状態に設定された場合には、呼出音を停止させると共に、内線回線制御部１２に指令して内部回線送受信部１１を回線遮断の状態に設定させる。また、発呼期間内に親機１０より先に自身の子機１８がオンフック操作された場合には、呼出音を停止させ、更に親機１０に指示して外部回線送受信部１を回線接続の状態に設定させ、且つ、内部回線送信部１１も回線接続の状態に設定させる。また、自身の子機１８がオンフック操作されることなく発呼期間が経過すると、呼出音を停止させると共に、内部回線送受信部１１を回線遮断に設定する。
【０１０７】
このように、ステップＳＴ２４では、各々の子機１８の主制御部３が回線接続や回線遮断の処理を行って処理を終了し、次の電話がかかってくるまで待機することとなる。ただし、待機している間、発呼者電話番号と用件メッセージと発呼時刻を表示している表示部１５は、その表示を継続する。つまり、図４（ａ）のステップＳＴ１１，ＳＴ１２で説明した、記憶部１６から発呼者電話番号データと用件メッセージデータと装置番号データが消去釦スイッチの操作によって消去されるまで、発呼者電話番号と用件メッセージと発呼時刻が継続して表示される。
【０１０８】
以上に説明したように、実施の形態２の電話機によれば、ユーザーが外出先等で使用する外線電話機等の発呼者電話番号と、用件メッセージと、親機１０または子機１８の装置番号とを対応付けて親機１０に予め登録しておき、ユーザーがその登録しておいた外線電話機等を用いて外出先等から親機１０に電話をかけると、外線電話機等の発呼者電話番号がトリガーとなって、その発呼者電話番号と用件メッセージと発呼時刻とが、登録されている装置番号の親機１０または子機１８の表示部５または１５に表示される。したがって、ユーザーは、登録しておいた外線電話機等を用いて親機１０に電話をかけるだけで用件メッセージを通知することができ、更に外線電話機等により電話をかけた時刻を発呼時刻として通知することができ、更に発呼者電話番号により誰が電話をかけたか通知することができる。更に、外線電話機等に用件メッセージを入力して電話をかけたり、発声して用件メッセージを録音させる必要もないので、外出先等において煩雑な操作をする必要がない。このため、ユーザーに対して優れた操作性を提供することが可能である。
【０１０９】
また、ユーザーが所有等する携帯電話機や安全に管理されている固定電話機等を外線電話機等として、それらの発呼者電話番号と用件メッセージと装置番号を対応付けて親機１０に登録しておけば、秘密漏洩を未然に防止して、確実に用件メッセージを通知することができる。このため、実施の形態２の電話機は、秘密漏洩の問題を回避することが可能である。
【０１１０】
また、実施の形態２の電話機は、実施の形態１と同様に、複数の外線電話機等の発呼者電話番号と用件メッセージと装置番号を夫々対応付けて予め登録することが可能である。このため、ユーザーにとって利用形態を広げることが可能となり、優れた利便性を提供することができる。
【０１１１】
なお、以上に説明した実施の形態２では、親機１０と子機１８の表示部５，１５が液晶ディスプレイ等の多数の文字や記号等を面表示することが可能なディスプレイで形成されているが、実施の形態１と同様に、点灯と消灯のみを行う発光ダイオード等の単純な発光素子を設けて用件メッセージを通知する構成としてもよい。
【０１１２】
また、以上に説明した実施の形態２では、外線電話機等からの電話に応じて用件メッセージを表示させ、用件メッセージを表示したことの確認を外線電話機等へ返信することはしていない。しかし、発呼者電話番号をトリガとして呼び出し音を鳴動している発呼期間内に、主制御部３，１３が用件メッセージを表示させるための処理を行うため、ユーザーは外線電話機等から電話機に電話をしても電話料金がかからずに、用件メッセージを通知することが可能である。
【０１１３】
ただし、用件メッセージを表示したことの確認を外線電話機等へ返信する構成とすることで、より通信の確実性を向上させるようにしてもよいことは言うまでもない。
【０１１４】
また、以上に説明した実施の形態２では、図４（ａ）のステップＳＴ２で留守番登録すると、図２（ｄ）に示したように、発呼電話番号データと用件メッセージデータと装置番号データが対応付けて記憶領域ＭＭに記憶されるようになっているが、図４（ｅ）に示すように、通知の表示を開始させる時間（時刻）のデータも発呼電話番号データと用件メッセージデータと装置番号データとに対応付けて記憶領域ＭＭに記憶するようにしてもよい。そして、実施の形態１の変形例と更なる変形例で説明したのと同様に、外線電話機等から電話がかかってきた時刻や時間帯に応じて、登録されている親機１０または子機１８に用件メッセージ等を表示させるようにしてもよい。
【０１１５】
また、以上に説明した実施の形態２の電話機は、留守番登録の際にユーザーが外線電話機等の発呼者電話番号と用件メッセージと入力することとしているが、用件メッセージと装置番号だけを入力させ、記憶領域ＭＭにはその用件メッセージデータと装置番号データを記憶させ、発呼者電話番号は、記憶領域ＭＤに記憶されている電話帳データを利用するようにしてもよい。この場合、図４（ｂ）のステップＳＴ１３において、主制御部３が、外線電話機等からの発呼電話番号と電話帳データとを比較・検索し、更にステップＳＴ１４において、電話帳データの中に発呼電話番号と一致する発呼電話番号データが存在していた場合にステップＳＴ１５以降の処理に移行する。
【０１１６】
かかる構成によれば、留守番登録に際し、ユーザーにとって入力操作の簡素化を図ることができ、操作性の向上を図ることができる。
【０１１７】
（実施の形態３）
次に、実施の形態３に係る電話機について、図５を参照して説明する。
実施の形態３に係る電話機は、親機と子機とにより構成されている。図５（ａ）は親機の構成を示すブロック図、図５（ｂ）は子機の構成を示すブロック図、図５（ｃ）は複数の子機を備えた場合の構成を示す説明図である。また、図５（ａ）において、図３（ａ）と同一又は相当する部分が、同一符号で示されている。また、図５（ｂ）において、図３（ｂ）と同一又は相当する部分が、同一符号で示されている。
【０１１８】
図５（ａ）において、親機１０は、外部回線送受信部１と、外部回線制御部２、主制御部３、操作部４、表示部５、記憶部６、内部回線送受信部７、内部回線制御部８とを備え、基本的に、実施の形態２の親機と同じ構成となっている。
【０１１９】
図５（ｂ）において、子機１８は、内部回線送受信部１１と、内部回線制御部１２、主制御部１３、操作部１４、表示部１５、記憶部１６とを備え、基本的に、実施の形態２の子機と同じ構成となっている。
【０１２０】
ここで、実施の形態３の電話機と実施の形態２の電話機との相違点を述べると、実施の形態２の電話機では、ユーザーが親機１０を用いて用件メッセージ等を留守番登録をすることができ、子機１８を用いて用件メッセージ等を留守番登録をすることができないのに対し、実施の形態３の電話機では、後述の動作説明で説明するように、ユーザーが親機１０を用いて用件メッセージ等を留守番登録をすることができ、更に個々の子機１８を用いて用件メッセージ等を留守番登録をすることができるようになっている。
【０１２１】
次に、図６を参照して、本実施形態３の電話機の動作について説明する。図６（ａ）は、ユーザーが例えば自宅に設置した親機１０を用いて留守番登録をする際の親機１０と子機１８の動作を示すフローチャート、図６（ｂ）は、ユーザーが子機１８を用いて留守番登録をする際の親機１０と子機１８の動作を示すフローチャートである。図６（ｃ）は、ユーザーが留守番登録しておいた用件メッセージを、外線電話機等を用いて外出先等から指定する際の、親機１０の動作を示すフローチャート、図６（ｄ）は、ユーザーが留守番登録しておいた用件メッセージを、外線電話機等を用いて外出先等から指定する際の、子機１８の動作を示すフローチャートである。図６（ｄ）は、留守番登録に際して、親機１０と子機１８の記憶部６，１６に記憶されるデータを示した説明図である。
【０１２２】
図６（ａ）において、ユーザーが親機１０の操作部４に設けられている所定のプッシュ釦スイッチを操作すると、主制御部３が表示部５に留守番機能に関する留守番登録メニューを表示させる（ステップＳＴ３１）。
【０１２３】
次に、ステップＳＴ３２において、ユーザーが上述の留守番登録メニューの表示に従って、プッシュ釦スイッチを操作し、所望の外線電話機等の発呼者電話番号と用件メッセージと、親機１０または子機１８の装置番号を入力して確定すると、主制御部３が、図６（ｅ）に示すように、その発呼者電話番号データと用件メッセージデータと装置番号データを対応付けて記憶部１６の所定の記憶領域ＭＭに記憶させる。更に、主制御部３が、子機１８との相互通信を確立し、上述の発呼者電話番号データと用件メッセージデータと装置番号データを子機１８側へ送信する。この送信を受けて、装置番号データと一致する装置番号が付されている子機１８の主制御部１３が、発呼者電話番号データと用件メッセージデータと装置番号データを取得し、記憶部１６に記憶させる。そして、親機１０の主制御部３が表示部５において「留守番登録完了」との表示をさせることで、留守番登録を完了する。
【０１２４】
つまり、ユーザーが親機１０を操作して登録操作をすると、親機１０の記憶部６と、装置番号が指定された子機１８の記憶部１６に、同じ発呼者電話番号データと用件メッセージデータと装置番号データが記憶される。
【０１２５】
また、ユーザーが何れかの子機１８を操作して、その操作部１４に設けられている所定のプッシュ釦スイッチを操作することで登録操作をすることができる。この場合には、図６（ｂ）のフローに従って留守番登録が行われる。
【０１２６】
すなわち、図６（ｂ）のステップＳＴ３３において、ユーザーが何れかの子機１８を操作し、表示部１５に表示される留守番登録メニューの表示に従って、プッシュ釦スイッチを操作し、所望の外線電話機等の発呼者電話番号と用件メッセージと、親機１０または子機１８の装置番号を入力して確定すると、ステップＳＴ３４において、主制御部１３が、図６（ｆ）に示すように、その発呼者電話番号データと用件メッセージデータと装置番号データを対応付けて記憶部１６に記憶させる。更に、主制御部１３が、親機１０との相互通信を確立し、上述の発呼者電話番号データと用件メッセージデータと装置番号データを親機１８側へ送信する。この送信を受けて親機１０側の主制御部３が、発呼者電話番号データと用件メッセージデータと装置番号データを取得し、記憶部６の記憶領域ＭＭに記憶させる。更に、主制御部３が、記憶領域ＭＭに記憶させた発呼者電話番号データと用件メッセージデータと装置番号データを子機１８側へ送信する。この送信を受けて、装置番号データと一致する装置番号が付されている子機１８の主制御部１３が、発呼者電話番号データと用件メッセージデータと装置番号データを取得し、記憶部１６に記憶させる。そして、ユーザーが登録操作を行った子機１８の主制御部１３が表示部１５において「留守番登録完了」との表示をさせることで、留守番登録を完了する。
【０１２７】
つまり、ユーザーが何れかの子機１８を操作して登録操作をすると、装置番号が指定された子機１８の記憶部１６と、親機１０の記憶部６に、同じ発呼者電話番号データと用件メッセージデータと装置番号データが記憶される。
【０１２８】
以上に説明した留守番登録をした後、ユーザーが外出先等において、上述の登録しておいた外部電話機等により電話機に電話をかけると、図６（ｂ）に示すステップＳＴ４３において、親機１０の主制御部３が、外部回線制御部２で検出される発呼信号を入力し、その発呼信号に含まれている発呼者電話番号を検出し、更に発呼者電話番号を検出した時刻（発呼時刻）を、親機１０に内蔵されているタイムベースに基づいて確定する。
【０１２９】
次に、ステップＳＴ４４において、主制御部３が、上述のステップＳＴ４３で検出した発呼者電話番号と一致する発呼者電話番号データが記憶部６の記憶領域ＭＭに記憶されているか否か調べる。そして、発呼者電話番号と一致する発呼者電話番号データが存在すると（Yesの場合）、ステップＳＴ４５に移行する。発呼者電話番号と一致する発呼者電話番号データが存在しない場合（Noの場合）には、ステップＳＴ４８において、主制御部３が、操作部４に設けられているスピーカにて呼出音の鳴動を開始させて、後述のステップＳＴ４９に移行する。
【０１３０】
ステップＳＴ４５では、主制御部３が、発呼者電話番号と一致する発呼者電話番号データが存在したことを示す通知を、子機１８側へ送信する。なお、この通知を受けた子機１８側の動作については、図６（ｄ）を参照して後述することとする。
【０１３１】
次に、ステップＳＴ４６では、主制御部３が、記憶領域ＭＭに記憶されている装置番号データを調べ、自身の親機１０に付されている装置番号と一致する装置番号データが存在しているか調べる。そして、自身の親機１０に付されている装置番号と一致する装置番号データが存在しているとステップＳＴ４７へ移行し、存在していない場合にはステップＳＴ４８へ移行する。
【０１３２】
次に、ステップＳＴ４７では、主制御部３が、親機１０を特定したことを再確認した上で、操作部４に設けられているスピーカにて呼出音の鳴動を開始させ、更に、発呼者電話番号と一致する発呼者電話番号データと、その発呼者電話番号データに対応付けられている用件メッセージデータとを記憶部６から読み出して表示部５に供給すると共に、発呼時刻データを表示部５に供給することで、発呼者電話番号と用件メッセージと発呼時刻とを表示させ、その表示を継続させたままステップＳＴ４９へ移行する。
【０１３３】
つまり、主制御部３は、親機１０を特定した場合に、ステップＳＴ４７において、発呼者電話番号と用件メッセージと発呼時刻とを表示部５にて表示させる。
【０１３４】
次に、ステップＳＴ４９では、主制御部３が通常の処理を行う。つまり、主制御部３が、呼出音の鳴動継続時間を計時しつつ、発呼期間内に外線電話機等からの発呼信号が途中で切られたか否か、また、発呼期間内に親機１０がオンフック操作されたか否か調べる。そして、発呼信号が途中で切られた場合には、親機１０の呼出音を停止させると共に、外部回線制御部２に指令して外部回線送受信部１を回線遮断の状態に設定させる。
【０１３５】
また、親機１０がオンフック操作されることなく発呼期間が経過すると、親機１０の呼出音を停止させると共に、外部回線制御部２に指令して外部回線送受信部１を回線遮断の状態に設定させる。
【０１３６】
このように、ステップＳＴ４９では、主制御部３が回線接続や回線遮断の処理を行って処理を終了し、次の電話がかかってくるまで待機することとなる。ただし、待機している間、表示部５には発呼者電話番号と用件メッセージと発呼時刻が継続して表示される。つまり、記憶部６から発呼者電話番号データと用件メッセージデータが消去釦スイッチの操作によって消去されるまで、発呼者電話番号と用件メッセージと発呼時刻が継続して表示される。
【０１３７】
次に、上述したステップＳＴ４５で、親機１０から子機側へ通知がなされた場合の子機側の動作について、図６（ｄ）のフローチャートに基づいて説明する。
【０１３８】
まず、ステップＳＴ５０において、子機１８の主制御部１３が、内部回線送受信部１１を介して、上述の通知を受信する。
【０１３９】
次に、ステップＳＴ５１において、主制御部１３が、自身の子機１８の装置番号と、記憶部１６に記憶されている装置番号データとが一致するか否か調べ、一致する場合（Yesの場合）にはステップＳＴ５２、一致しない場合（Noの場合）には、ステップＳＴ５３において呼出音の鳴動を開始させて、後述のステップＳＴ５４に移行する。
【０１４０】
例えば、図５（ｃ）に示したように複数の子機１８ａ〜１８ｊが在る場合、子機１８ａの装置番号と装置番号データとが一致する場合には、その子機１８ａに設けられている主制御部１３がステップＳＴ２２の処理に移行し、子機１８ａ，１８ｂの装置番号と装置番号データとが一致する場合には、その子機１８ａ，１８ｂに設けられている主制御部１３がステップＳＴ５２の処理に移行する。つまり、複数の子機１８ａ〜１８ｊのうち、自身の装置番号と装置番号データとが一致する子機１８だけが、ステップＳＴ５１を経由してステップＳＴ５２の処理に移行し、それ以外の子機１８、つまり自身の装置番号と装置番号データとが一致しない子機は、ステップＳＴ５１を経由してステップＳＴ５３，ＳＴ５４の処理に移行する。
【０１４１】
ステップＳＴ５２では、装置番号と装置番号データとが一致した子機１８の主制御部１３が、操作部１４に設けられているスピーカにて呼出音の鳴動を開始させ、更に、発呼者電話番号と一致する発呼者電話番号データと、その発呼者電話番号データに対応付けられている用件メッセージデータとを記憶部１６から読み出して表示部１５に供給すると共に、発呼時刻データを表示部１５に供給することで、発呼者電話番号と用件メッセージと発呼時刻とを表示させ、その表示を継続させたままステップＳＴ５４へ移行する。
【０１４２】
次に、ステップＳＴ５４では、主制御部１３が通常の処理を行う。つまり、主制御部１３は、発呼期間内に自身の子機１８がオンフック操作されたか否か調べ、回線接続を行って通話を可能にし、その後、オフフック操作されると回線遮断を行う。
【０１４３】
また、自身の子機１８がオンフック操作されることなく発呼期間が経過すると、呼出音を停止させると共に、内部回線送受信部１１を回線遮断に設定する。
【０１４４】
このように、ステップＳＴ５４では、主制御部３が回線接続や回線遮断の処理を行って処理を終了し、次の電話がかかってくるまで待機することとなる。ただし、待機している間、発呼者電話番号と用件メッセージと発呼時刻を表示している表示部１５は継続してその表示を行う。つまり、記憶部１６から発呼者電話番号データと用件メッセージデータと装置番号データが消去釦スイッチの操作によって消去されるまで発呼者電話番号と用件メッセージと発呼時刻が継続して表示される。
【０１４５】
以上に説明したように、実施の形態３の電話機によれば、ユーザーが外出先等で使用する外線電話機等の発呼者電話番号と、用件メッセージと、親機１０または子機１８の装置番号とを対応付けて親機１０または子機１８に予め登録しておき、ユーザーがその登録しておいた外線電話機等を用いて外出先等から親機１０に電話をかけると、外線電話機等の発呼者電話番号がトリガーとなって、その発呼者電話番号と用件メッセージと発呼時刻とが、登録されている装置番号の親機１０または子機１８の表示部５または１５に表示される。また、ユーザーは子機１８を操作するだけで、留守番登録を行うことができる。
【０１４６】
したがって、ユーザーは、登録しておいた外線電話機等を用いて親機１０に電話をかけるだけで用件メッセージを親機１０または子機１８に通知することができ、更に外線電話機等により電話をかけた時刻を発呼時刻として通知することができ、更に発呼者電話番号により誰が電話をかけたか通知することができる。更に、外線電話機等に用件メッセージを入力して電話をかけたり、発声して用件メッセージを録音させる必要もないので、外出先等において煩雑な操作をする必要がない。このため、ユーザーに対して優れた操作性を提供することが可能である。
【０１４７】
また、ユーザーが所有等する携帯電話機や安全に管理されている固定電話機等を外線電話機等として、それらの発呼者電話番号と用件メッセージと装置番号を対応付けて留守番登録をしておけば、秘密漏洩を未然に防止して、確実に用件メッセージを通知することができる。このため、実施の形態３の電話機は、秘密漏洩の問題を回避することが可能である。
【０１４８】
また、実施の形態３の電話機は、実施の形態１，２と同様に、複数の外線電話機等の発呼者電話番号と用件メッセージと装置番号を夫々対応付けて予め登録することが可能である。このため、ユーザーにとって利用形態を広げることが可能となり、優れた利便性を提供することができる。
【０１４９】
なお、以上に説明した実施の形態３では、親機１０と子機１８の表示部５，１５が液晶ディスプレイ等の多数の文字や記号等を面表示することが可能なディスプレイで形成されているが、実施の形態１，２で説明したのと同様に、点灯と消灯のみを行う発光ダイオード等の単純な発光素子を設けて用件メッセージを通知する構成としてもよい。
【０１５０】
また、以上に説明した実施の形態３では、外線電話機等からの電話に応じて用件メッセージを表示させ、用件メッセージを表示したことの確認を外線電話機等へ返信することはしていない。しかし、発呼者電話番号をトリガとして呼び出し音を鳴動している発呼期間内に、主制御部３，１３が用件メッセージを表示させるための処理を行うため、ユーザーは外線電話機等から電話機に電話をしても電話料金がかからずに、用件メッセージを通知することが可能である。
【０１５１】
ただし、用件メッセージを表示したことの確認を外線電話機等へ返信する構成とすることで、より通信の確実性を向上させるようにしてもよいことは言うまでもない。
【０１５２】
また、以上に説明した実施の形態３では、図６（ａ）のステップＳＴ３２，ＳＴ３４で留守番登録すると、図６（ｅ）（ｆ）に示したように、発呼電話番号データと用件メッセージデータと装置番号データが対応付けて記憶部６の記憶領域ＭＭと記憶部１６に記憶されるようになっているが、図６（ｇ）に示すように、通知の表示を開始させる時間（時刻）のデータも発呼電話番号データと用件メッセージデータと装置番号データとに対応付けて記憶部６の記憶領域ＭＭと記憶部１６に記憶するようにしてもよい。そして、実施の形態１の変形例と更なる変形例で説明したのと同様に、外線電話機等から電話がかかってきた時刻や時間帯に応じて、登録されている親機１０または子機１８に用件メッセージ等を表示させるようにしてもよい。
【０１５３】
また、以上に説明した実施の形態３の電話機は、留守番登録の際にユーザーが外線電話機等の発呼者電話番号と用件メッセージと入力することとしているが、用件メッセージと装置番号だけを入力させ、記憶領域ＭＭにはその用件メッセージデータと装置番号データを記憶させ、発呼者電話番号は、記憶領域ＭＤに記憶されている電話帳データを利用するようにしてもよい。この場合、図６（ｂ）のステップＳＴ４３において、主制御部３が、外線電話機等からの発呼電話番号と電話帳データとを比較・検索し、更にステップＳＴ４４において、電話帳データの中に発呼電話番号と一致する発呼電話番号データが存在していた場合にステップＳＴ４５以降の処理に移行する。
【０１５４】
かかる構成によれば、留守番登録に際し、ユーザーにとって入力操作の簡素化を図ることができ、操作性の向上を図ることができる。
【図面の簡単な説明】
【０１５５】
【図１】図１（ａ）は、実施の形態１に係る受信機の構成を示すブロック図、図１（ｂ）は、操作部の一部を表した平面図である。
【図２】図２（ａ）（ｂ）は、実施の形態１に係る受信機の動作を説明するためのフローチャート、図２（ｃ）（ｄ）は、記憶部に記憶されるデータを表した説明図である。
【図３】図３（ａ）（ｂ）（ｃ）は、実施の形態２に係る受信機の構成を示すブロック図である。
【図４】図４（ａ）（ｂ）（ｃ）は、実施の形態２に係る受信機の動作を説明するためのフローチャート、図４（ｄ）（ｅ）は、記憶部に記憶されるデータを表した説明図である。
【図５】図５（ａ）（ｂ）（ｃ）は、実施の形態３に係る受信機の構成を示すブロック図である。
【図６】図６（ａ）（ｂ）（ｃ）（ｄ）は、実施の形態３に係る受信機の動作を説明するためのフローチャート、図６（ｅ）（ｆ）（ｇ）は、記憶部に記憶されるデータを表した説明図である。
【符号の説明】
【０１５６】
Ａ…受信機
１０…親機
１８…子機
３，１３…主制御装置
４，１４…操作部
５，１５…表示部
６，１６…記憶部
【図１】
2009164781.tif 000003
【図２】
2009164781.tif 000004
【図３】
2009164781.tif 000005
【図４】
2009164781.tif 000006
【図５】
2009164781.tif 000007
【図６】
2009164781.tif 000008